(57)【特許請求の範囲】
【請求項１】
表示箇所が所定位置に形成された表示パネルと、該表示パネルの表示箇所を通して視認可能に配置された表示体と、前記表示パネルの後方に配置され前記表示体が取付けられる表示体ベースと、を備えた遊技機において、
前記表示体ベースには、前記表示体を取付け可能な表示体取付け候補位置を複数備えた表示体取付け可能領域が形成され、
前記表示体取付け候補位置は、前記表示体取付け可能領域において一列状に並んで形成され、
前記表示体取付け可能領域には、前記一列状に並んだ表示体取付け候補位置に対応して形成され、前記表示体が挿入装着される表示体挿入孔部が設けられ、
前記表示体の取付けは、該表示体を取付け補助体に装着し、該取付け補助体を前記表示体取付け候補位置に対して着脱可能に取付けることによって行われ、
前記表示体は、１桁の数字を表示する数字表示体であり、
前記取付け補助体は、前記数字表示体が１個のみ装着される１桁用取付け補助体として構成され、
前記１桁用取付け補助体と前記数字表示体とにより構成される１桁数字表示機を、前記一列状に並んだ表示体取付け候補位置にそれぞれ配置して、一列状に並んだ前記１桁数字表示機同士を組み合わせて所望の桁数の数字表示を行うことを特徴とする遊技機。
【発明の詳細な説明】
【技術分野】
【０００１】
本発明は、スロットマシン等の遊技機に関するものである。
【背景技術】
【０００２】
スロットマシン等の遊技機の本体は、主として、各制御機器が内蔵されている筐体と、この筐体に開閉可能に取付けられた前面扉からなっており、前面扉には、筐体内部のリール周囲などに配置された遊技に係る情報を発光表示する表示体を備えた表示機が設けられている。この遊技に係る情報とは、例えば、遊技機に電子的に貯留されているメダル枚数（貯留クレジット数）、払い出されるメダル枚数、及び種々のエラー表示等である。そして、この種の表示機は、一般的に前面扉の表示パネルを後面から支持する表示体ベースに取付けられることで、前面扉に設置される。
【０００３】
特許文献１には、一般的なパネルユニットの構成について開示されている。図１２には、この特許文献１のパネルユニットの構成を概略的に示す。図示のように、パネルユニット３００は、キャラクタ等の機種にかかるデザインが前面に施された表示パネル３０１と、この表示パネル３０１を後面側に配置される表示体ベース３０２から成る。
【０００４】
表示体ベース３０２の下辺部に形成された開口部３０４には、３桁の数字表示を行う７セグ表示体３３０と、この表示を行うための発光用基板等の装置を備えた７セグ表示機３１０が装着される。なお、表示パネル３０１には、７セグ表示機３１０が表示体ベース３０２に取付けられた状態で７セグ表示体３１０に対向する位置に、表示箇所である透明窓３３２が形成されている。これにより、遊技者等は、７セグ表示体３３０の発光表示を遊技機前面から視認できる。
【先行技術文献】
【特許文献】
【０００５】
【特許文献１】特開２００６−２６００５号公報
【発明の概要】
【発明が解決しようとする課題】
【０００６】
しかし、特許文献１に開示されている従来の一般的なパネルユニット３００の構成では、７セグ表示体３３０の発光表示を遊技機前面から視覚的に認識できるように、７セグ表示体３３０の位置に合わせて適切な位置に透明窓３３２が形成されるように表示パネル３０１を構成する必要がある。
【０００７】
従って、表示体ベース３０２に異なる種類、例えば種々のデザインの表示パネルを適用しようとしても、７セグ表示体３３０の位置と新たな表示パネルに形成された透明窓３３２の位置が合わず、表示パネルの交換に併せて、新たな表示パネルの透明窓の位置に合うように７セグ表示体３３０を配置可能な別の新たな表示体ベース３０２を用いる必要がある。従って、旧機種の本体をベースとして新機種を製造するにあたって表示パネルのデザインを変更する場合などは、パネルユニットも交換しなければならず、製造コストの増大を招いている。
【０００８】
本発明は、このような課題に鑑みてなされたものであり、その目的は、パネルユニットを交換することなく表示パネルのデザインを変更することのできる遊技機を提供することにある。
【課題を解決するための手段】
【０００９】
上記課題を解決する請求項１に記載の遊技機は、表示箇所が所定位置に形成された表示パネルと、該表示パネルの表示箇所を通して視認可能に配置された表示体と、前記表示パネルの後方に配置され前記表示体が取付けられる表示体ベースと、を備えた遊技機において、前記表示体ベースには、前記表示体を取付け可能な表示体取付け候補位置を複数備えた表示体取付け可能領域が形成され、前記表示体取付け候補位置は、前記表示体取付け可能領域において一列状に並んで形成され、前記表示体取付け可能領域には、前記一列状に並んだ表示体取付け候補位置に対応して形成され、前記表示体が挿入装着される表示体挿入孔部が設けられ、前記表示体の取付けは、該表示体を取付け補助体に装着し、該取付け補助体を前記表示体取付け候補位置に対して着脱可能に取付けることによって行われ、前記表示体は、１桁の数字を表示する数字表示体であり、前記取付け補助体は、前記数字表示体が１個のみ装着される１桁用取付け補助体として構成され、前記１桁用取付け補助体と前記数字表示体とにより構成される１桁数字表示機を、前記一列状に並んだ表示体取付け候補位置にそれぞれ配置して、一列状に並んだ前記１桁数字表示機同士を組み合わせて所望の桁数の数字表示を行うことを特徴とする。
【発明の効果】
【００１０】
本発明によれば、パネルユニットを交換することなく表示パネルのデザインを変更することができる。
【図面の簡単な説明】
【００１１】
【図１】スロットマシンの前面扉が閉じた状態を示す斜視図である。
【図２】スロットマシンの前面扉が開いた状態を示す斜視図である。
【図３】表示パネルの構成を説明する図である。
【図４】取付けベースの構成を説明する図である。
【図５】取付けベースの構成を説明する図である。
【図６】７セグ表示機の構成を説明する図である。
【図７】７セグ表示機の取付け態様を説明する図である。
【図８】７セグ表示機による表示態様を説明する図である。
【図９】デザインの異なる表示パネルに対する７セグ表示機の取付け態様を説明する図である。
【図１０】７セグ表示機の配線形態を説明する図である。
【図１１】他の実施の形態を説明する図である。
【図１２】従来の技術を示す図である。
【発明を実施するための形態】
【００１２】
はじめに、本実施の形態から抽出され得る発明群を手段ｎ(ｎ＝０，１，２・・・)として区分して示し、それらを必要に応じて効果等を示しつつ説明する。
【００１３】
手段０．表示箇所が所定位置に形成された表示パネルと、該表示パネルの表示箇所を通して視認可能に配置された表示体と、前記表示パネルの後方に配置され前記表示体が取付けられる表示体ベースと、を備えた遊技機において、前記表示体ベースには、前記表示体を取付け可能な表示体取付け候補位置を複数備えた表示体取付け可能領域が形成され、前記表示体取付け候補位置は、前記表示体取付け可能領域において一列状に並んで形成され、前記表示体取付け可能領域には、前記一列状に並んだ表示体取付け候補位置に対応して形成され、前記表示体が挿入装着される表示体挿入孔部が設けられ、前記表示体の取付けは、該表示体を取付け補助体に装着し、該取付け補助体を前記表示体取付け候補位置に対して着脱可能に取付けることによって行われ、前記表示体は、１桁の数字を表示する数字表示体であり、前記取付け補助体は、前記数字表示体が１個のみ装着される１桁用取付け補助体として構成され、前記１桁用取付け補助体と前記数字表示体とにより構成される１桁数字表示機を、隣接して並ぶ前記表示体取付け候補位置にそれぞれ配置して、隣接した前記１桁数字表示機同士を組み合わせて所望の桁数の数字表示を行うことを特徴とする遊技機。
【００１４】
手段１．表示箇所が所定位置に形成された表示パネルと、該表示パネルの表示箇所を通して視認可能に配置された表示体と、前記表示パネルの後方に配置され前記表示体が取付けられる表示体ベースと、を備えた遊技機において、前記表示体ベースには、前記表示体を取付け可能な表示体取付け候補位置を複数備えた表示体取付け可能領域が形成され、前記表示体取付け候補位置は、前記表示体取付け可能領域において一列状に並んで形成され、前記表示体取付け可能領域には、前記一列状に並んだ表示体取付け候補位置に対応して形成され、前記表示体が挿入装着される表示体挿入孔部が設けられ、前記表示体の取付けは、該表示体を取付け補助体に装着し、該取付け補助体を前記表示体取付け候補位置に対して着脱可能に取付けることによって行われ、前記表示体は、１桁の数字を表示する数字表示体であり、前記取付け補助体は、前記数字表示体が１個のみ装着される１桁用取付け補助体として構成され、前記１桁用取付け補助体と前記数字表示体とにより構成される１桁数字表示機を、前記一列状に並んだ表示体取付け候補位置にそれぞれ配置して、一列状に並んだ前記１桁数字表示機同士を組み合わせて所望の桁数の数字表示を行うことを特徴とする遊技機。
【００１５】
これにより、表示体ベースに、表示体の取付け位置を変更可能とする表示体取付け候補位置を複数備えた表示体取付け可能領域が形成されることにより、表示パネルの種類毎に異なる上記表示箇所の形成位置に合わせて表示体の取付ける位置を変更することができる。すなわち、表示パネルの種類が変更されることに伴い表示箇所の位置が変更された場合であっても、該変更にともない変わった表示箇所の位置に対向する表示体取付け候補位置に表示体を取付けることで、新たな種類の表示パネルに対応することができる。従って、表示パネルの種類が変更されても表示体ベースを交換することなく再利用することができ、表示パネルの交換によるコスト増加を防止することができる。
【００１６】
また、上述のように、表示パネルのみを交換して新機種のパネルユニットを製造する場合において、本発明の表示体ベースには表示体取付け候補位置が複数あることにより取付けられる表示体の位置も複数存在する。従って、表示体に対向させる表示パネルの表示箇所の形成可能位置の候補も複数存在することとなるので、新たな表示パネルのデザインに課される制限も減らすことができる。
【００１７】
手段２．手段１の遊技機において、前記表示体取付け候補位置は、前記表示体取付け可能領域において一列状に並んで形成されたことを特徴とする。
【００１８】
これによれば、一列状に並んで形成された表示体取付け候補位置に表示体をそれぞれ取付け可能であるので、いわゆるビッグボーナスやレギュラーボーナス等の特別入賞役により得られる獲得枚数を表示する複数桁の７セグ表示機等の複数個の表示体を並べて一つの情報表示を行う表示機を構成する必要がある場合であっても、この表示機を一列状に並んだ表示体取付け候補位置に取付けられた表示体を用いて容易に実現することができる。従って、本発明にかかる表示体ベースは、複数個の表示体を並べて一つの情報表示を行う表示機を備えた多種の遊技機に対して適用可能である。すなわち、本発明にかかる表示体ベースを適用可能な遊技機の種類が増加することとなるので、結果として表示体ベース再利用のより広範な普及が助長される。
【００１９】
手段３．手段２の遊技機において、前記表示体取付け可能領域には、前記一列状に並んだ表示体取付け候補位置に対応して形成され、前記表示体が挿入装着される表示体挿入孔部が設けられたことを特徴とする。
【００２０】
これによれば、表示体を表示体挿入孔部に挿入装着することより、この孔部を介する表示体の表示を表示パネルの表示箇所を介して前方から視覚的に容易に認識させることができるとともに、孔部により表示体が支持されることとなるので、表示体の表示体取付け候補位置への取付け状態をより安定的なものとすることができる。
【００２１】
手段４．手段３の遊技機において、前記表示体挿入孔部は、前記一列状に並んだ表示体取付け候補位置の全長に亘って対向して延在する１つの長尺孔部として形成されたことを特徴とする。
【００２２】
これによれば、全ての表示体取付け候補位置に対応する表示体挿入孔部を１個の孔部として形成することができる。従って、各表示体取付け候補位置毎に１個ずつ孔部を形成する必要がなくなり、孔部の形成工数を減じて表示体ベースの製造コストを削減することができる。
【００２３】
手段５．手段３又は４の遊技機において、前記表示体の取付けは、該表示体を取付け補助体に装着し、該取付け補助体を前記表示体取付け候補位置に対して着脱可能に取付けることによって行われることを特徴とする。
【００２４】
これによれば、上述の取付け補助体を介して表示体の表示体取付け候補位置への取付けを行うことで、種類や大きさが異なる表示体も表示体取付け候補位置の形態を変更すること無く取付けることができる。また、複数個の表示体をまとめて装着可能な取付け補助体を構成すれば、１個の表示体取付け候補位置に複数個の表示体を取付けることも可能である。
【００２５】
手段６．手段５の遊技機において、前記表示体取付け候補位置は、前記表示体ベース上で前記表示体挿入孔部に沿って該ベースの横方向に伸長形成された長尺リブに、その伸長方向に規則的に列設されるとともに前記取付け補助体が嵌め込まれる嵌め込み凹部として構成されたことを特徴とする。
【００２６】
これによれば、表示体は、上記取付け補助体を介して表示体取付け候補位置に嵌め込み固定されることとなるので、表示体のより安定した取付け状態を実現することができる。
手段７．手段１〜６の遊技機において、前記表示体取付け可能領域において隣接した表示体取付け候補位置に取付けられている複数の表示体を組み合わせて、一つの情報を発する表示体組体が構成されることを特徴とする。
【００２７】
これによれば、演出や遊技者が獲得する遊技媒体の数の表示等を目的とした複数個の表示体による一の情報表示（例えば、複数桁の数字表示や各リールの回転をストップさせるストップボタンの押し順を教示する表示等）を行う表示態様を上記表示体組体により容易に実現することができる。従って、本発明にかかる表示体ベースは、上記複数個の表示体による一の情報表示を行う態様が採用された多くの機種に適用することができ、結果として表示体ベースの再利用の普及が促進される。
【００２８】
手段８．手段７の遊技機において、前記表示体取付け可能領域において前記表示体組体を構成するように隣接した表示体取付け候補位置に取付けられている各表示体の一部を他の表示体取付け候補位置に取付け替えることで、前記表示体組体を構成する表示体の組み合わせパターンを変更可能であることを特徴とする。
【００２９】
これによれば、表示パネルの種類に応じて決まる上記表示体組体を構成する表示体の必要個数やその配置されるべき位置に応じて、表示体を他の表示体取付け候補位置に付け替えることが可能である。
【００３０】
従って、機種の変更などの際に、表示パネルの種類の変更が必要な場合であっても、変更される表示パネルの表示箇所に合う（対向する）隣接した複数の表示体取付け候補位置を選択して表示体を取付け、新たに表示体組体を構成するだけで、容易に表示パネルのデザインの変更に対応することができる。
【００３１】
手段９．手段５又は６の遊技機において、前記表示体は、１桁の数字を表示する数字表示体であり、前記取付け補助体は、前記数字表示体が１個のみ装着される１桁用取付け補助体として構成され、前記１桁用取付け補助体と該１桁用取付け補助体に装着される数字表示体とにより構成される１桁数字表示機を備え、前記１桁数字表示機を隣接して並ぶ前記表示体取付け候補位置にそれぞれ配置して、隣接した前記１桁数字表示機同士を組み合わせて所望の桁数の数字表示を行うことを特徴とする。
【００３２】
本発明は、表示体の態様を数字表示体に限定したものであり、任意の桁数の数字表示を１桁数字表示機の組み合わせのみで行うことにより、一列状の表示体取付け候補位置の位置において表示可能な桁数のバリエーションをより増加させることができる。従って、本発明の表示体ベース、より多種の表示パネルに対応させることができる。
【００３３】
手段１０．手段５又は６の遊技機において、前記表示体は、１桁の数字を表示する数字表示体であり、前記取付け補助体は、前記数字表示体が１個のみが装着される１桁用取付け補助体と、前記表示体取付け候補位置の並ぶ列に沿って並列されるように複数個の前記数字表示体が装着される複数桁用取付け補助体と、を有し、前記１桁用取付け補助体と該１桁用取付け補助体に装着される数字表示体とにより構成される１桁数字表示機と、前記複数桁用取付け補助体と該複数桁用取付け補助体に装着される複数個の数字表示体とにより構成される複数桁数字表示機と、を含む数字表示機を備えたことを特徴とする。
【００３４】
本発明は、表示体の態様を数字表示体に限定したものであり、１桁数字表示機と複数桁数字表示機の組み合わせで、例えば、貯留メダル枚数表示、メダル払い出し枚数表示、及びボーナス獲得枚数表示などのそれぞれ異なる桁数表示にも柔軟に対応することができる。従って、本発明の表示体ベースをより多種の表示パネルに対応させることができる。
【００３５】
特に、一般的なスロットマシン等の遊技機は、貯留メダル枚数表示、特別入賞役獲得枚数表示、及びメダル払い出し枚数表示がそれぞれ、２桁、３桁、及び２桁等の数字表示で行われるが、この場合であっても、例えば、１桁数字表示機と２桁数字表示機を組み合わせて特別入賞役獲得枚数表示用として構成しつつ、貯留メダル枚数表示用及びメダル払い出し枚数表示用を２桁数字表示機１個、あるいは１桁数字表示機２個で構成することにより、上記数字表示を達成できる。
【００３６】
なお、ボーナス獲得枚数表示用などの、多種の機種に対して３桁以上の数字表示が必要となることが予めわかっているものについて、この数字表示を１桁数字表示機と複数桁数字表示機（特に２桁）により構成しておくことで、１桁数字表示機のみを組み合わせて複数桁の数字表示を行う場合と比較して、数字表示のための制御用の信号線の数を減らし、配線作業を簡易化することができる。
【００３７】
手段１１．手段９又は１０の遊技機において、前記一列状に並ぶ前記表示体取付け候補位置において一方端寄りの表示体取付け候補位置に前記一桁数字表示機又は複数桁数字表示機を取付けてなる一方端数字表示機取付け領域と、前記一列状に並ぶ前記表示体取付け候補位置において他方端寄りの表示体取付け候補位置に前記一桁数字表示機又は複数桁数字表示機を取付けてなる他方端数字表示機取付け領域と、前記一列状に並ぶ前記表示体取付け候補位置において略中央部分の表示体取付け候補位置に前記一桁数字表示機又は複数桁数字表示機を取付けてなる中央数字表示機取付け領域と、を有することを特徴とする。
【００３８】
これによれば、一方端寄りの数字表示機取付け領域、他方端寄りの数字表示機取付け領域、及び中央部分の数字表示機取付け領域の間で、表示パネルの種類に応じて要求される各領域の表示桁数に合わせて、各領域のそれぞれの数字表示機を相互に付け替えることで、各数字表示機取付け領域の桁数を容易に変更することができる。特に、従来の遊技機では、一方端寄りに貯留枚数表示部、中央部分にボーナス獲得枚数表示部、及び他方端寄りに払い出し枚数表示部を備えた形態が多く見られるので、このような遊技機においては、機種変更でパネルデザインが変更される場合であっても、各数字表示機の取付け位置を大きく変更すること無く、各領域間における一部の数字表示体の付け替えで表示パネルのデザイン変更に対応することができる。
【００３９】
手段１２．手段２〜１１の遊技機において、前記表示体及び配線接続される遊技機内の接続先コネクタは、前記一列状に並ぶ表示体取付け候補位置の並び方向の領域であって且つ前記一列状の並び方向と略直交する方向の領域内に設けられていることを特徴とする。
これによれば、表示体に適用される配線（ハーネス）の長さが長くなってしまうことを防止することができる。従って、表示体を表示体取付け候補位置において着脱する作業を、ハーネスに阻害されずスムーズに行うことができるので、機種変更等による表示パネルの種類変更の際に行われる表示体の表示体取付け可能領域における付け替え作業もスムーズになる。
【００４０】
手段１３．手段１に記載の遊技機において、前記表示体取付け可能領域には、前記複数の表示体取付け候補位置の間で該表示体をスライド移動させる表示体スライド手段が設けられたことを特徴とする。
【００４１】
これによれば、表示体をスライド移動させるだけで複数の表示体取付け候補位置の間における付け替え、すなわち、表示体の位置変更が可能である。特に、表示体取付け可能領域において任意の位置に表示体を位置決めする機構を形成することで、表示体の細かい位置調整が可能となり、表示パネルの種類の変更に対してより柔軟に対応することができる。また、表示体を取付けベースから取外すこと無く位置変更することができるので、表示パネルを変更する作業を行う際に発生する恐れのある表示体の紛失を確実に防止することができる。
【００４２】
以下、本発明の実施の形態について、遊技機の一例としてスロットマシン１の場合を例に図面に基づいて説明する。図１は、スロットマシン１の前面扉３が閉じた状態を示す斜視図、図２は、スロットマシン１の前面扉３が開いた状態を示す斜視図である。
【００４３】
スロットマシン１は、図１及び図２に示すように、筐体２と前面扉３とからなる正面視略矩形状の本体４を有する。筐体２は、スロットマシン１の骨格をなす部材であり、図２に示すように、前面側３を開放部とした箱形状を有している。筐体２の内部には、各種の図柄等が表示される複数個の回転リール１１ａを有するリールユニット１１や、スロットマシン１の遊技動作を制御するメイン制御基板等を収納した制御基板収納ボックス１２、電源スイッチやリセットスイッチ等を備える電源ボックス１３、遊技媒体であるメダルを貯留する貯留タンク１４ａ及び貯留タンク１４ａ内から所定枚数のメダルを排出してメダル受け皿３３（図１を参照）に払い出す払出装置１４ｂを備えたホッパ１４等が収容されている。
【００４４】
前面扉３は、略平板状のフレーム２０に、スタートレバー２６やセレクタ９等の種々の装置類が装着されて構成されている。フレーム２０は、フレーム２０の上端部から高さ方向略中央部まで下方に移行するに従って手前側に突出するように傾斜した傾斜部２０Ａと、傾斜部２０Ａの下端から手前側に突出してフレーム２０の左右に亘って所定の高さ幅で延在する突出部２０Ｂと、突出部２０Ｂよりも奥側に後退した位置で突出部２０Ｂからフレーム２０の下端部まで垂下する垂下部２０Ｃを有する。
【００４５】
フレーム２０は、左端部の上下複数カ所がヒンジ５によって筐体２に連結されて取付けられ、筐体２の前面側の開放部を容易に開放及び閉塞できるようになっている。そして、フレーム２０の右端部には、筐体２に対して前面扉３を閉塞して施錠状態とする施錠装置６と、その施錠装置６による施錠状態を解除して前面扉３を開放するためのキーシリンダ７が設けられている。
【００４６】
そして、前面扉３の前面には、フレーム２０に取付けられた装置類によって、上方から下方に向かって順番に並ぶように、演出部３Ａ、表示部３Ｂ、操作部３Ｃ、装飾部３Ｄ、払出部３Ｅが形成されている。
【００４７】
演出部３Ａは、遊技者に対して光や音、映像を用いて演出を行う演出装置２１を有する。演出装置２１は、フレーム２０の傾斜部２０Ａに取付けられており、遊技の進行に伴って転倒・点滅する上部ランプ２１ａと、上部ランプ２１ａの下方位置で左右両側に各々配置されて種々の効果音等を発生させる一対のスピーカ２１ｂ−１、２１ｂ−２と、これら一対のスピーカ２１ｂ−１、２１ｂ−２の間に配設されて、画像・映像等の種々の情報を表示する液晶ディスプレイ２１ｃを有する。
【００４８】
表示部３Ｂは、遊技者に遊技状態を示す表示パネル２２を有する。表示パネル２２は、フレーム２０の傾斜部２０Ａに開口する矩形の開口部に嵌合されて取付けられている。表示パネル２２の略中央位置には、透明又は半透明のリール表示窓２２ａが形成されており、その表示窓２２ａから筐体２内の回転リール１１ａを視認できるようになっている。また、本実施の形態における表示パネル２２には、特別入賞役の図柄記載部２２ｂ、押し順表示窓２２ｃ、払い出しメダル枚数表示窓７４、獲得メダル枚数表示窓７６、及び貯留メダル枚数表示窓７８等の種々のデザインが形成されている。これらデザインについて後に詳細に説明する。
【００４９】
更に、図２に示すように、表示パネル２２がその後方に配置された表示体ベース８０と一体となってパネルユニット６０が構成されている。また、表示体ベース８０の下部には、払い出しメダル枚数表示窓７４、獲得メダル枚数表示窓７６、及び貯留メダル枚数表示窓７８を介して前面側に数字を表示する７セグ表示機８８、９６が取付けられている。なお、表示パネル２２、表示体ベース８０、及び７セグ表示機８８、９６にかかる詳細な構成も後に説明する。
【００５０】
一方、操作部３Ｃは、表示パネル２２の下端から手前側に向かって平面状に突出する突出部２０Ｂの上面部２０Ｂａに、ベットボタン２３とメダル投入口２４とが左右に離れて設けられている。そして、上面部２０Ｂａの手前側の端部で折曲されて垂下する突出部２０Ｂの前面部２０Ｂｂに、精算ボタン２５、回転リール１１ａの回転開始を指示するためのスタートレバー２６、回転リール１１ａの回転停止を支持するためのストップボタン２７等の各操作手段が横一列に並ぶように配設されている。突出部２０Ｂの前面部２０Ｂｂには各操作手段の周りをカバーするカバー部材２８が取付けられている。カバー部材２８は、フレーム２０の突出部２０Ｂの前方で左右に亘って延在する帯板形状を有している。
【００５１】
装飾部３Ｄは、機種名や遊技に関わるキャラクタ等を表示する装飾用パネル４０を有する。装飾用パネル４０は、装飾用パネル４０の裏面側に設けられた図示しない照明装置から照射される光によって照明されて、装飾が際立つようになっている。
【００５２】
払出部３Ｅは、メダル払出口３１や演出用スピーカ３２ａ、３２ｂ、メダル受け皿３３等を有する。演出用スピーカ３２ａ、３２ｂは、メダル払出口３１の左右方向両側に位置するように前面扉３のフレーム２０に取付けられている。また、メダル受け皿３３には、その伸長方向の一端に灰皿３３Ｃが配設されている。
【００５３】
以下、上記表示パネル２２、表示体ベース８０、及び７セグ表示機８８、９６の詳細な構成について説明する。
【００５４】
図３は、表示パネル２２の構成を説明する図である。図示のように、表示パネル２２は、アクリルやポリカーボネート等の透明樹脂材料で形成された板状部材として構成されており、その板面の略中央部には、リールを視認するための透明なリール表示窓２２ａが形成されている。リール表示窓２２ａの周辺には、いわゆるビッグボーナスやレギュラーボーナス等の特別入賞役の入賞図柄が記載された図柄記載部２２ｂ、リールストップボタン２７（図１参照）の押し順を教示する押し順ナビランプ（図示せず）の表示箇所である押し順ナビ表示窓２２ｃ、機種に係るキャラクタである龍のモチーフ２２ｄ、及び特別入賞役の内部当選を告知する告知ランプ（図示せず）の表示箇所である告知ランプ窓２２ｅが施され、特に、リール表示窓２２ａの下方には、入賞役の入賞遊技において払い出されるメダル枚数を表示する払い出しメダル枚数表示窓７４、特別入賞役、又は特別遊技状態（いわゆる、ＲＴ（リプレイタイム）やＡＲＴ（アシストリプレイタイム））において遊技者に払い出された総メダル数を表示する獲得メダル枚数表示窓７６、及び電子的に貯留されているメダル枚数を表示する貯留メダル枚数表示窓７８がデザインとして施されている。
【００５５】
本実施の形態では、払い出しメダル枚数表示窓７４、獲得メダル枚数表示窓７６、及び貯留メダル枚数表示窓７８は、表示パネル２２の下方長辺部１１０に沿って水平方向に並んで配置されており、表示パネル２２の後面Ｒ側に配置される７セグ表示機８８、９６からの光を前面Ｆ側に通過させるために透明に形成されている。
【００５６】
上記表示パネル２２のデザインは例えばシールの貼付等により施され、パネル前面Ｆ側から視てこのシールのデザインが視覚的に認識可能となっている。また、この表示パネル２２は、パネル後面Ｒ側から表示体ベース８０に支持される。
【００５７】
図４、図５は、それぞれ表示体ベース８０の前面斜視図、後面斜視図を示す。図示のように、表示体ベース８０は、その中央部分が開口した略矩形の枠状に形成されており、この枠状の両側辺部１１２には、表示パネル２２の押し順ナビ表示窓２２ｃ、龍のモチーフ２２ｄ、及び告知ランプ窓２２eに対向してＬＥＤランプ等の発光手段を取付けるための基板取付孔８３が上下方向に複数箇所形成されている。また、表示体ベース８０の上部長辺部には、前面扉３の上方に設置される液晶表示装置等の各装置の設置を許容するように凹部１１４が形成されており、この収容凹部１１４の底面には、上記各装置の重量を支える補強リブ１１６が収容凹部１１４の長手伸長方向に沿って形成されている。また、表示体ベース８０には、その上部長辺部及び下部長辺部の複数箇所に、前面扉３へのネジ止め取付けを行なうためのねじ孔１００が形成されている。
【００５８】
一方で、本実施の形態では、表示体ベース８０の下部長辺部には、該長辺部に沿って左右方向伸長する略矩形状の１つの長尺孔部８２が形成されている。そして、表示体ベース８０の下部長辺の後面側には、７セグ表示機８８、９６を取付けるためのガイドリブ８４が長尺孔部８２の伸長領域のほぼ全域に沿うように形成されている。すなわち、ガイドリブ８４と長尺孔部８２は横方向に略同程度の長さに形成されている。更に、この、ガイドリブ８４には、その長手方向略全域に、７セグ表示機８８、９６を取付ける表示体取付け候補位置としての嵌め込み用凹部８６が一列状に形成されている。従って、この各嵌め込み用凹部８６に、７セグ表示機８８、９６を取付けることが可能である。また、７セグ表示機８８、９６の嵌め込み用凹部８６への取付け状態では、７セグ表示機８８、９６の表示体が長尺孔部８２に挿入装着される状態となる。
【００５９】
そして、この表示体ベース８０と表示パネル２２を一体化させてなるパネルユニット６０は、前面扉３に形成されているパネルユニット６０用の開口に装着されることでスロットマシン１に適用される。
【００６０】
図６は、７セグ表示機８８、９６の構成を説明する図である。図６（ａ）は、２個の７セグ表示体を一体として構成した複数桁数字表示機としての大７セグ表示機８８を示しており、図６（ｂ）は、１個の７セグ表示体で構成した１桁数字表示機としての小７セグ表示機９６を示している。
【００６１】
図示のように、本実施の形態では、大７セグ表示機８８は、２個の７セグ表示体９０と、この２個の７セグ表示体９０を並べて一方側面に装着する略矩形状の大取付け補助板９１を有している。なお、この大取付け補助板９１の上辺部の略中央部分には、表示体ベース８０に設けられたガイドリブ８４の嵌めこみ凹部８６（図５参照）に嵌合可能な形状の嵌め込み用突起９１ａが形成されている。
【００６２】
また、大取付け補助板９１の他方面側の下部には、これら各７セグ表示体９０を配線先（主基板、サブ基板、及び中継基板等のコネクタ）に接続させるためのハーネスを挿通させるコネクタ９２が設けられている。なお、７セグ表示体９０は、コネクタ９２を通して接続されているハーネスにより図示しない主基板やサブ基板からの信号を受信し、９本の信号線を用いたいわゆるダイナミック点灯方式等の発光制御方式により制御される。
【００６３】
一方で、小７セグ表示機９６は、大取付け補助板９１よりも小さく形成された同様の略矩形状の小取付け補助板９４に１個７セグ表示体９０を取付けることで構成されている。小７セグ表示機９６は、７セグ表示体９０が１個のみ装着されている点以外は、大７セグ表示機８８と同様の構成を有している。
【００６４】
本実施の形態によれば、上記大取付け補助板９１及び小取付け補助板９４により、１個の７セグ表示体９０及び２個の７セグ表示体９０ともに、表示体ベース８０のガイドリブ８４における１個の嵌め込み凹部８６に取付けることができる。特に、大取付け補助板９１及び小取付け補助板９４の各突起９１ａ、９４ａが嵌め込み凹部８６にぴったりと嵌まりつつ、長尺孔部８２に７セグ表示体９０が挿入装着されるので、各７セグ表示機８８、９６の表示体ベース８０への取付け状態を安定させることができる。なお、各取付け補助板９１、９４として、別部材である７セグ用基板を利用しても良い。
【００６５】
上記構成によれば、各７セグ表示体９０が、取付け補助板９１、９４を介して、嵌め込み凹部８６に取付け配置されることとなるので、７セグ表示体９０自体の形状が異なっている場合（例えば、７セグ表示体９０が、その表示面が円形となる円柱状に形成されているような場合）やそれらの大きさが異なっている場合でも、定形の取付け補助板９１、９４を用いて表示体ベース８０への取付けが可能である。また、例えば７セグ表示体９０が故障して交換の必要が生じた場合であっても、この７セグ表示体９０のみを代えて取付け補助板９１、９４に装着することで７セグ表示機を再構成することができる。すなわち、取付け補助板９１、９４の再利用が可能である。なお、本実施の形態では、２個の７セグ表示体９０を装着する大取付け補助板９１と、１個の７セグ表示体９０を装着する小取付け補助板９４を用いているが、３個以上の７セグ表示体９０を装着する取付け補助板を用いるようにしても良い。
【００６６】
図７は、パネルユニット６０への７セグ表示機８８、９６の取付け態様を説明する図であり、図８は、スロットマシン１を前面から視た要部を示している。図示のように、本実施の形態では、ガイドリブ８４における水平延在方向の略中央部分に形成されている隣接する３個の嵌め込み凹部８６に、その嵌め込み用突起９６ａがはめ込まれることにより、３個の小７セグ表示機９６が取付けられている。
【００６７】
上述のように、中央領域で連続する３個の嵌め込み凹部８６に、それぞれ小７セグ表示機９６を取付けることで、１個（１桁）の数字を表す７セグ表示体９０を組み合わせて中央数字表示機領域Ｃを形成し、１つの発光情報である３桁の数字表示を行っている。具体的に、この３個の小７セグ表示機９６によりボーナスによるメダル獲得枚数を表示する発光手段が構成され、各小７セグ表示機９６の７セグ表示体９０は、表示パネル２２の獲得枚数表示窓７６に対向する。
【００６８】
一方で、ガイドリブ８４における水平伸長方向の両端部寄りの嵌め込み凹部８６には、それぞれ大７セグ表示機８８―１、８８−２が取付けられており、それぞれ一方端数字表示機領域Ｏ１と他方端数字表示機領域Ｏ２を形成している。すなわち、大７セグ表示機８８−１は、一方端数字表示機領域Ｏ１において入賞役の入賞による払い出し枚数を表示する発光手段として機能し、大７セグ表示機８８−２は、他方端数字表示機領域Ｏ２において電子的に貯留されたメダル枚数を表示するための発光手段として機能する。従って、一方端数字表示機領域Ｏ１の大７セグ表示機８８−１は払い出しメダル枚数表示窓７４、他方端数字表示機領域Ｏ２の大７セグ表示機８８−２は獲得メダル枚数表示窓７６にそれぞれ対向し、払い出しメダル枚数表示窓７４、獲得枚数表示窓７６、及び貯留枚数表示窓７８からの発光表示が確実に行われる。
【００６９】
特に、本実施の形態では、各７セグ表示機８８、９６は、それぞれの凸部８８ａ、９６ａが嵌め込み凹部８６に嵌合されるとともに、７セグ表示体９０が全て長尺孔部８２に挿入される状態で表示体ベース８０に配置され、表示パネル２２の各窓７４、７６、及び７８に対向する。従って、嵌め込み凹部８６及び長尺孔部８２により、各７セグ表示機８８、９６は、それぞれの７セグ表示体９０の発光面が表示パネル２２の各窓７４、７６、及び７８に向くように安定的に支持される。
【００７０】
また、本実施の形態では、前面扉に加えられる衝撃などによる要因で、各７セグ表示機８８、９６が嵌め込み凹部８６から脱離してしまうことを防止するために、表示体ベース８０にその後面側からプレート９８が取付けられている。プレート９８は、表示体ベース８０への取付け状態で、ガイドリブ８４の延在方向全域、すなわち、嵌め込み凹部８６が一列状に形成されている領域の全域に対向するように伸長する大きさを有している。また、プレート９８には、ガイドリブ８４の嵌め込み凹部８６に取付けられている各セグ表示機８８、９６のコネクタ９２を挿通させる長尺のコネクタ挿通孔９８ａが形成されている。なお、図面の記載を簡略するために、このプレート９８は、透明に示されているが、プレート９８の色は透明に限られるものではなく、種々の色を適用することが可能である。
【００７１】
図９は、図８の表示パネル２２と異なる種類の表示パネル２２′に変更を説明する図であり、（ａ）は表示パネル２２′が適用されたスロットマシン１の要部正面図であり、（ｂ）は７セグ表示機９６の付け替えを説明する要部後面図である。図示のように、表示パネル２２′においては、表示パネル２２と比べて払い出しメダル枚数表示窓７４、獲得枚数表示窓７６、及び貯留枚数表示窓７８の位置が変更されている。このように各窓７４、７６、及び７８の位置が異なる場合でも、一方端数字表示機領域Ｏ１、中央数字表示機領域Ｃ、及び他方端数字表示機領域Ｏ２の間で、７セグ表示機を付け替えることで、新たな表示パネル２２′の窓７４、７６、７８の位置に合う位置に７セグ表示機を取付けることができる。
【００７２】
特に、本実施の形態では、中央数字表示機領域Ｃの３個の小７セグ９６の内の１個をガイドリブ８４から取外し、一方端数字表示機領域Ｏ１の大７セグ表示機８８−１に隣接させて取付けることで、２桁表示を行っていた大７セグ表示機８８に、小７セグ表示機９６の１桁を組み合わせて３桁表示とすることができる。従って、表示パネル２２と表示パネル２２′のように、変更された表示パネルのデザインが相互に異なり、払い出しメダル枚数表示窓７４や獲得枚数表示窓７６の位置が異なる場合であって、上記小７セグ表示機９６の付け替えを行うだけで容易に対応することができる。なお、７セグ表示機の位置の変更にともなう各７セグの発光制御の修正についても、容易に調整可能である。
【００７３】
以上のように、本実施の形態によれば、表示体ベース８０に７セグ表示機８８、９６の取付け位置を変更可能とするように、ガイドリブ８４に取付け候補位置として嵌め込み凹部８６が複数形成されていることにより、表示体ベース８０における７セグ表示機８８、９６の取付ける位置を、表示パネル２２の種類毎、例えばデザイン毎に異なる払い出しメダル枚数表示窓７４、獲得枚数表示窓７６、及び貯留枚数表示窓７８の位置に合わせて対向するように変更することができる。従って、機種変更等の理由により表示パネルを変更する場合であっても、表示体ベース８０を交換することなく新しい表示パネル２２′に再利用することができる。これにより、新機種のパネルユニットを新たに製造する場合において、表示パネル２２のみを交換して、表示体ベース８０をそのまま使用することで、新たなパネルユニットの製造コストを削減することができる。
【００７４】
また、逆に、上述のように７セグ表示機８８、９６の取付け可能位置の候補が複数あることで、表示パネルをデザインする際には、メダル枚数表示窓、獲得枚数表示窓、及び貯留枚数表示窓等の表示箇所を形成するパネル上の位置の自由度も向上する。従って、新たな表示パネル２２′のデザイン上の制限が課されることも防止される。
【００７５】
特に、一般的な遊技機においては、払い出しメダル枚数表示窓７４、獲得枚数表示窓７６、及び貯留枚数表示窓７８の位置は、リールや液晶の表示の妨げにならないように、表示パネル２２の下方長辺部１１０に沿って設けられることが多い。そして、本実施の形態では、７セグ表示機８８、９６は、ガイドリブ８４の伸長領域である嵌め込み凹部８６に沿って並んでいる列、すなわち、表示パネルの下方長辺部１１０に沿って任意に位置変更が可能である。従って、このような位置に７セグ表示機８８、９６の配置位置候補である嵌め込み凹部８６を多数有する表示体ベース８０には、極めて多種のデザインの表示パネルを適用させることができる。結果として、本実施の形態にかかる表示体ベース８０を種々のスロットマシンに導入する敷居が低くなり、係る再利用可能な表示体ベース８０がより広範に普及される。
【００７６】
一方、図１０は、本実施の形態にかかる７セグ表示機８８、９６の配線状態を説明する説明図である。図示のように、７セグ表示機８８、９６の配線接続先である中継基板１０２は、中央数字表示機領域Ｃの小７セグ表示機９６の略直下位置に配置されている。従って、７セグ表示機８８、９６から中継基板１０２へのハーネスの長さを極力短くすることができる。これにより、７セグ表示機８８、９６を嵌め込み凹部８６に対して着脱する作業を、ハーネスに阻害されることなくスムーズに行うことができるので、表示パネルのデザイン変更の際に行われる７セグ表示機８８、９６の付け替え作業もスムーズになる。
【００７７】
特に、ハーネスが長くなってしまうことを防止するためには、７セグ表示機８８、９６が配置される嵌め込み凹部８６の並び列の方向（ガイドリブ８４の伸長方向）の領域であって且つ該列の並び方向と略直交する方向の領域内に、配線先のコネクタが配置されることが好ましい。なお、図１１では、７セグ表示機８８、９６の配線先を中継基板１０２としているが、配線先を主基板やサブ基板としても良い。
【００７８】
なお、本発明は、上記実施の形態に限られるものではなく、発明の要旨の範囲内で種々の変更が可能である。例えば、本実施の形態では、７セグ表示機８８、９６の取付けるために、表示体ベース８０に複数の嵌め込み凹部８６を備えた取付け用リブ８４を設けているが、７セグ表示機８８、９６を取付けるための部材の形態は、これに限られるものではなく、例えば、７セグ表示機８８、９６を水平方向にスライド可能に取付けるガイド１２０を形成するようにしても良い（図１１参照）。なお、この場合、例えば、ガイド１２０の内側面、及び／又は表示体ベース８０のガイド１２０との対向面に、７セグ表示機８８、９６を連続的に位置決め可能とする構造を適用しても良い。
【００７９】
これにより、７セグ表示機８８、９６を表示体ベース８０から取外すこと無く、位置変更できるので、表示パネルを変更する作業を行う際に発生する恐れのある７セグ表示機８８、９６の紛失を確実に防止することができる。また、上記ガイド１２０上における７セグ表示機８８、９６を連続的に位置決め可能であることにより、７セグ表示機８８、９６の細かい位置調整が可能となり、表示パネルの種類の変更に対してより柔軟に対応することができる。
【００８０】
更に、本実施の形態では、２つの７セグ表示体９０を備えた２桁表示の大７セグ表示機８８と、１つの７セグ表示体９０を備えた１桁表示の小７セグ表示機９６により払い出し枚数等の複数桁数字表示を実現しているが、これに限られるものではなく、例えば、１桁表示の小７セグ表示機９６のみを用いて、その組み合わせにより任意の桁数の数字表示を実現するようにしても良い。これにより、表示可能な数字桁数の組み合わせのバリエーションを増加させ、より容易に表示パネルのデザイン変更に対応することができる。
【００８１】
また、一方端数字表示機領域Ｏ１、中央数字表示機領域Ｃ、及び他方端数字表示機領域Ｏ２における各７セグ表示の桁数は、本実施の形態のものに限られず、それぞれ、一方端数字表示機領域Ｏ１、中央数字表示機領域Ｃ、及び他方端数字表示機領域Ｏ２の各７セグ表示桁数をそれぞれ１桁、３桁、３桁の組み合わせや、２桁、４桁、２桁等の任意の桁数の組み合わせに調整することが可能である。
【００８２】
なお、４桁の表示は、例えば、１個の７セグ表示体９０を備えた小７セグ表示機９６を４個並べて構成しても良いし、２個の７セグ表示体９０を備えた大７セグ表示機８８を２個並べて構成しても良い。更に、例えば、一方端数字表示機領域Ｏ１に７セグ表示機を設けること無く、中央数字表示機領域Ｃ及び他方端数字表示機領域Ｏ２のみに７セグ表示機を設け、各７セグ表示桁数を４桁、３桁等の任意の桁数の組み合わせに調整しても良い。
【００８３】
一方で、一方端数字表示機領域Ｏ１、中央数字表示機領域Ｃ、及び他方端数字表示機領域Ｏ２の何れか、その中の２つ、或いは全てに対して、新たに７セグ表示機を加えて７セグ表示桁数を変更しても（増加させて）良い。例えば、本実施の形態における一方端数字表示機領域Ｏ１、中央数字表示機領域Ｃ、及び他方端数字表示機領域Ｏ２の各７セグ表示桁数である２桁、３桁、２桁に対して、一方端数字表示機領域Ｏ１、他方端数字表示機領域Ｏ２にそれぞれ１桁用の７セグ表示機を加えることで、それぞれ各領域を３桁、３桁、３桁の表示桁数としても良い。これにより、機種変更等の理由で表示パネルの形態が変更され、各領域に対応するパネルの窓部７４、７６、７８が、何れも３桁の数字表示に対応している場合に、新たな３桁用の７セグ表示機を用意すること無く、１桁用の７セグ表示機を２個加えるか、或いは２桁用の７セグ表示機を１個加えるだけで、上記３桁、３桁、３桁の桁数表示を達成することができる。
【００８４】
７セグ表示機変更の具体手順の一例には、例えば、各領域Ｏ１、Ｃ、Ｏ２が２桁、３桁、２桁である状態から、中央数字表示機領域Ｃの１桁用７セグ表示機２つを、それぞれ１つずつ、一方端数字表示機領域Ｏ１、及び他方端数字表示機領域Ｏ２に移動させ、各領域Ｏ１、Ｃ、Ｏ２を３桁、１桁、３桁としてから、中央数字表示機領域Ｃに２桁用７セグ表示機を１つ加えることで、各領域を３桁、３桁、３桁とする。
【００８５】
また、逆に、一方端数字表示機領域Ｏ１、中央数字表示機領域Ｃ、及び他方端数字表示機領域Ｏ２の何れか、その中の２つ、或いは全てから１又は複数の７セグ表示機を取外すことで、７セグ表示桁数を変更しても（減少させても）良い。これにより、例えば、表示パネルの獲得枚数表示窓７６が３桁表示用の大きさであり中央数字表示機領域Ｃの３個の小７セグ表示機９６である場合に、表示パネルが変更されて獲得枚数表示窓７６が２桁表示用の大きさになる場合でも、上記３個の小７セグ表示機９６の内の１個を取外すだけで対応することができる。
【００８６】
更に、各領域に配置されている７セグ表示機に設けられている７セグ表示体の数自体を変えて桁数を変更しても良い。すなわち、専用の取付け板を３桁以上用として形成することで、この取付け板に３個以上の７セグ表示体を取付けるようにしても良い。
【００８７】
また、本実施の形態では、７セグ表示機が貯留メダル数や払い出しメダル枚数等の数字を表示する場合について説明したが、例えば、エラー報知等の遊技状態を報知するアルファベット表示を行うようにしても良い。具体的には、「ＣＥ」（投入メダル滞留エラー）、「ＨＥ」（ホッパーエラー）、「ＣＰ」（投入メダル異常通過エラー）、「ＨＰ」（払出メダル滞留エラー）、「ＨＦ」（補助収納庫満杯エラー）、「ＵＣ」（投入タイミングエラー）、「ＵＨ」（払出タイミングエラー）、「ＵＤ」（投入払出タイミングエラー）、「ＰＥ」（回胴停止エラー）、「Ｅ１」（停電処理エラー）等の種々のエラーを示すアルファベット表示が想定される。これらアルファベットのエラー表示は、数字表示における各桁の数字表示と同様に、７セグ表示体１個に対して１アルファベットが表示される。
【００８８】
また、表示体は７セグ表示体９０に限られるものではなく、例えば、ベットボタン２３の発光表示光源であるベットランプ、ボーナス告知表示窓２２ｄの発光表示光源であるボーナス告知ランプ、押し順ナビ表示窓２２ｃの発光表示光源である押し順ナビランプ、図示しないメダル投入可能ランプやウェイトランプ、液晶表示、及びドットマトリックス等の他の種々の光源を構成する表示体として構成することが可能である。特に、従来の押し順ナビランプとして使用するＬＥＤ光源のように、特定の回転軸に対して回転対称な形状を有する表示体に対しては、上記表示体ベース８０における複数の表示体取付け候補位置の間における表示体の移動を、上記回転軸まわりの回転移動により行うようにしても良い。
【００８９】
特に、近年では、複数の発光体を組み合わせて一つの情報を表示する押し順ナビランプ等の表示体組体が使用されているスロットマシンが多数存在するが、このようなタイプのスロットマシンに対しても本願発明の構成を適用し、表示パネルのデザイン毎の表示箇所の位置変更に対応して表示体組体の位置を変更することができるので、表示体ベース８０を取り替えることなく再利用することができる。
【００９０】
更に、例えば、初めからガイドリブ８４の嵌め込み凹部８６の大部分、或いは全域に７セグ表示機８８、９６を取付けておいて、表示パネルのデザインに応じて必要な７セグ表示機８８、９６のみを光らせるようにしておいても良い。なお、この際、使用しない位置の７セグ表示機は表示パネル２２に隠されるので、スロットマシン１の前面からの美観も保たれる。
【００９１】
また、上記７セグ表示体９０を挿入させる長尺孔部８２（図４、図５参照）は、表示体ベース８０の長尺下辺部に沿って伸長する形態に限られるものではなく、嵌め込み凹部８６に配置された各７セグ表示機８８、９６のそれぞれ７セグ表示体９０を１つずつ挿入可能な大きさの孔部を複数、ガイドリブ８４の伸長方向に沿って形成するようにしても良い。
【００９２】
更に、上記各実施の形態では、本発明をスロットマシン１について具体化した例を示したが、これに限られず、スロットマシン以外の他の遊技機であるパチンコ機、スロットマシンとパチンコ機を融合した形式の遊技機、及び遊技媒体としてメダルではなく球を使用する機能を持ったスロットマシンに適用するようにしても良い。
【符号の説明】
【００９３】
１        スロットマシン
２        筐体
３        前面扉
４        本体
２２      表示パネル
７４      払い出しメダル枚数表示窓（表示箇所）
７６      獲得メダル枚数表示窓（表示箇所）
７８      貯留メダル枚数表示窓（表示箇所）
８０      表示体ベース
８２      長尺孔部（表示体挿入孔部）
８４      ガイドリブ
８６      嵌め込み凹部（表示体取付け部）
８８      大７セグ表示機（数字表示機）
９０      ７セグ表示体（表示体）
９１      大取付け補助板（取付け補助体）
９２      コネクタ
９４      小取付け補助板（取付け補助体）
９６      小７セグ表示機（数字表示機）
１２０    ガイド（表示体スライド手段）
Ｆ        表示パネル前面
Ｒ        表示パネル後面
Ｃ        中央数字表示機領域
Ｏ１      一方端数字表示機領域
Ｏ２      他方端数字表示機領域
【図１】
0005663977.tif 000002
【図２】
0005663977.tif 000003
【図３】
0005663977.tif 000004
【図４】
0005663977.tif 000005
【図５】
0005663977.tif 000006
【図６】
0005663977.tif 000007
【図７】
0005663977.tif 000008
【図８】
0005663977.tif 000009
【図９】
0005663977.tif 000010
【図１０】
0005663977.tif 000011
【図１１】
0005663977.tif 000012
【図１２】
0005663977.tif 000013